(57)【要約】【課題】汚物の粉砕圧送を容易に行えるようにする。【解決手段】連結ホース４３の外表面を押圧する押圧部４４によって、連結ホースを便器排出口２３側から排出ホース１４（下流側）に向かって連続的に扱く動作を与える。これで汚物が粉砕されながらその下流側に押し出される。便器２０本体の溜まり部２１内のトラップ水によって粉砕された流状物が圧送される。圧送された流状物は既設トイレ装置の便器内に排出される。汚物は流状体となっているので、連結ホース内での流状物の流れがスムーズとなり、連結ホース内に汚物が滞留したり、詰まるようなことがなくなる。【選択図】        図８
2007085099.tif 000002
【特許請求の範囲】
【請求項１】
便器の溜まり部に収容された汚物を粉砕して圧送する粉砕圧送装置において、
上記粉砕圧送装置は、
上記溜まり部に設けられた排出口の下流側に接続された可撓性管部材と、
上記可撓性管部材を撓ませる押圧部と、
を備え、
上記押圧部は、上記可撓性管部材を上流側から下流側に向かって、漸次扱く動作を繰り返し行う
ことを特徴とする粉砕圧送装置。
【請求項２】
上記可撓性管部材の内部であって、上記押圧部の下流側に所定粒径以上の汚物を捕捉する汚物捕捉部材が設けられた
ことを特徴とする請求項１記載の粉砕圧送装置。
【請求項３】
洋式便器の溜まり部と、上記洋式便器の外部とを連通する汚物排出口と、
この排出口に連結されてこの排出口を通過する汚物を粉砕して圧送する汚物の粉砕圧送装置と、
粉砕圧送された汚物を既設トイレ装置に排出する連結ホースとからなる簡易トイレシステムであって、
上記粉砕圧送手段は、
上記排出口の下流側に接続された可撓性管部材と、
上記可撓性管部材を撓ませる押圧部と、
を備え、
上記押圧部は、上記可撓性管部材を上流側から下流側に向かって、漸次扱く動作を繰り返し行うと共に、
粉砕圧送された汚物は、上記連結ホースを介して上記既設トイレ装置に排出される
ことを特徴とする簡易トイレシステム。
【請求項４】
上記可撓性管部材の内部であって、上記押圧部の下流側に所定粒径以上の汚物を捕捉する汚物捕捉部材が設けられた
ことを特徴とする請求項３記載の簡易トイレシステム。
【発明の詳細な説明】
【技術分野】
【０００１】
この発明は、可搬型の簡易トイレ装置などに適用できる汚物の粉砕圧送装置およびこの粉砕圧送装置を使用した簡易トイレシステムに関する。詳しくは、この発明に係る粉砕圧送装置にあっては、便器本体の溜まり部と連通する排出口側に連結された連結管に対して、扱き動作を与えることで排泄物等の汚物を粉砕しながら圧送できるようにした粉砕圧送系を設けることによって、比較的簡便な装置で汚物を粉砕圧送できるようにしたものである。
【０００２】
また、この発明に係る簡易トイレシステムにあっては、この粉砕圧送装置を便器本体に連結することで、溜まり部内に滞留した汚物を既設トイレ装置などに簡単に排出できるようにしたものである。
【背景技術】
【０００３】
介護を必要とする老人や、身体が不自由で家屋内の既設トイレ装置（洋式トイレなど）まで出向くことが困難な人のために、室内で使用できる可搬型の簡易トイレ装置が開発されている（例えば特許文献１）。
【０００４】
この可搬型簡易トイレ装置は、洋式トイレをベースとして構成されたもので、容易に居室内に設置できるように椅子型に構成され、椅子に座って用を足すことができる。簡易トイレ装置もトラップ水を溜める溜まり部を有する便器本体が使用され、使用後はトラップ水と共に排泄物等の汚物を排出できるように構成されている。
【０００５】
【特許文献１】特開２０００−８４４２号公報
【発明の開示】
【発明が解決しようとする課題】
【０００６】
ところで、上述したように洗浄水を使用する簡易トイレ装置では、トラップ水は水道管から供給されると共に、高圧空気源からの高圧空気を送りながら汚物を排出するようにしている。そのため、水道管からの配管が必要になる他、コンプレッサーなどの小型の高圧空気源を装備する必要がある。
【０００７】
これらの設備を必要とすることなく、汚物を排出できるようにするための一手段として、既設のトイレ装置を利用することが考えられる。例えば、既設トイレ装置が洋式トイレである場合には、洋式トイレまで配管された水道管からの水道水を、直接あるいはウォッシュレット式の便座装置が備えられている場合には、その便座装置まで導かれている水道水を、連結ホースを介してそれぞれ簡易トイレ装置まで導き、これをトラップ水として利用する。
【０００８】
また、簡易トイレ装置の溜まり部に連通する排出口に、連結ホースを接続して既設トイレ装置まで導く。簡易トイレ装置に供給されたトラップ水と共に、既設トイレ装置の便器まで汚物を圧送することで、簡易トイレ装置の溜まり部に滞留した汚物を排出できる。
【０００９】
しかし、この場合に問題となるのは、汚物を粉砕することなく既設トイレ装置まで圧送することである。連結ホースの途中で汚物が詰まったりすることが考えられるからである。
【００１０】
そこで、この発明はこのような従来の課題を解決したものであって、特に便器本体の外部に溜まり部に滞留した汚物を粉砕圧送処理する粉砕圧送手段を設けることで、汚物の詰まりなどを解決した粉砕圧送装置およびこれを使用した簡易トイレシステムを提案するものである。
【課題を解決するための手段】
【００１１】
上述の課題を解決するため、請求項１に記載したこの発明に係る粉砕圧送装置は、便器の溜まり部に収容された汚物を粉砕して圧送する粉砕圧送装置において、上記粉砕圧送装置は、上記溜まり部に設けられた排出口の下流側に接続された可撓性管部材と、上記可撓性管部材を撓ませる押圧部とを備え、
上記押圧部は、上記可撓性管部材を上流側から下流側に向かって、漸次扱く動作を繰り返し行うことを特徴とする。
【００１２】
また請求項３に記載したこの発明に係る簡易トイレシステムは、洋式便器の溜まり部と、上記洋式便器の外部とを連通する汚物排出口と、この排出口に連結されてこの排出口を通過する汚物を粉砕して圧送する汚物の粉砕圧送装置と、粉砕圧送された汚物を既設トイレ装置に排出する連結ホースとからなる簡易トイレシステムであって、上記粉砕圧送手段は、上記排出口の下流側に接続された可撓性管部材と、上記可撓性管部材を撓ませる押圧部とを備え、
上記押圧部は、上記可撓性管部材を上流側から下流側に向かって、漸次扱く動作を繰り返し行うと共に、粉砕圧送された汚物は、上記連結ホースを介して上記既設トイレ装置に排出されることを特徴とする。
【００１３】
この発明における粉砕圧送装置は、便器の排出口に連結されて使用される。例えば、簡易トイレ装置と、既設のトイレ装置との間を可撓性管部材としての連結ホースで連結することによって、洗浄水を既設トイレ装置から供給し、簡易トイレ装置に排泄された汚物を既設トイレ装置の便器内に排出するようになされた簡易トイレシステムに適用する場合には、簡易トイレ装置用の便器と排出用連結ホースとの間に、この発明に係る粉砕圧送装置が連結される。
【００１４】
また、この簡易トイレ装置と、これに連結される連結ホースと、さらに簡易トイレ装置と連結ホースとの間に連結された粉砕圧送装置とによって簡易トイレシステムが構築される。
【００１５】
粉砕圧送装置には、可撓性管部材として機能する連結ホースの外表面を押圧する押圧部が設けられている。押圧部は連結ホースの上流側から下流側（便器排出口側から既設トイレ装置側）へと、汚物を粉砕して圧送するためのもので、連結ホースに対して連続的に扱きを加えられるように構成されている。そのため、押圧部には、ほぼおむすび状の押圧子が設けられ、連結ホースの半径方向への押圧力を連続的に可変することで、連結ホース内を通過する汚物が粉砕される。粉砕されることで汚物は粒径の細かな流状物となる。連結ホースは押圧子によって連続的に、その上流側より下流側に向かって扱かれるので、粉砕された流状物は下流側へと押し出される。これと相俟って連結ホースには便器の溜まり部に滞留したトラップ水（洗浄用の滞留水）が圧送されてくるので、流状物は連結ホース内に滞留することなく、既設トイレ装置の便器内に排出される。汚物は流状体となっているので、連結ホース内での流状物の流れがスムーズとなり、連結ホース内の流状物は一気に既設トイレ装置の便器内に排出される。したがって連結ホース内に汚物が滞留したり、詰まるようなことがなくなる。
【００１６】
押圧部を構成する押圧子の形状は、ほぼおむすび状をなす扁平三角体の他に、四角体等を用いた転動式のものや、多連多相式杵打ち棒（後述する）などを使用することもできる。押圧子は１つでも複数個でもよい。粉砕圧送装置は、洋式の簡易トイレ装置の他に、和式の簡易トイレ装置にも適用できる。
【００１７】
簡易トイレ装置は、既設トイレ装置として洋式のトイレ装置が使用される。簡易トイレ装置も洋式のトイレ装置が使用される。簡易トイレ装置と既設トイレ装置とは、連結ホース（給水ホースと排出ホース）によって連結される。排出ホースと簡易トイレ装置との間には、上述した粉砕圧送装置が介在される。
【００１８】
簡易トイレ装置の洗浄水は既設トイレ装置側より供給される。簡易トイレ装置を利用して排便された汚物は、簡易トイレ装置のトラップ水と共に排出ホースを介して既設トイレ装置の便器内に排出される。汚物を排出するとき、上述した粉砕圧送装置によって汚物は粉砕されながら下流側へと押し出され、最終的には既設トイレ装置の便器内に排出される。
【００１９】
排出ホースを利用して既設トイレ装置の便器内に汚物を排出するには、例えば排出ホースの先端をそのまま便器内に臨ませるのが簡単である。例えば便座と便器の開口面との間を通して排出ホースの先端を便器内に臨ませることで達成できる。
【発明の効果】
【００２０】
この発明では、便器の溜まり部と連通する排出口に連結された可撓性管部材に扱きを連続的に与える押圧部を設け、可撓性管部材の上流側から下流側に汚物が粉砕しながら流れるようにしたものである。
【００２１】
これによれば、便器本体には何ら手を加えることなく、便器外部で汚物の粉砕処理ができる。また汚物を粉砕してから排出するようにしたので、連結ホース内に汚物が滞留したり、汚物で詰まったりする事態を回避できる。
【００２２】
また、この発明では、既設トイレ装置を利用して簡易トイレ装置の洗浄および排出を行うと共に、排出時に粉砕処理を行うようにしたものである。
【００２３】
これによれば、溜まり部に滞留する汚物をトラップ水と共に、粉砕して排出できる。この場合において簡易トイレ装置および既設トイレ装置のいずれの便器についても、改良や改変を加えることなく実現できるので、廉価な簡易トイレシステムを実現できる。
【発明を実施するための最良の形態】
【００２４】
続いて、この発明に係る粉砕圧送装置および簡易トイレシステムの好ましい実施例を図面を参照して詳細に説明する。
【００２５】
以下に示す実施例は、この発明を居室内で使用することを前提とした洋式の簡易トイレ装置に適用した場合である。居室内で使用する場合であっても、固定式の洋式トイレと同様に、お尻洗浄機能の付いた、いわゆる温水洗浄便座の設備が付いた洋式トイレが好ましい。ただし、以下の説明ではこの温水洗浄便座の設備についての説明は省いてある。
【実施例１】
【００２６】
図１はこの発明に係る簡易トイレシステムの適用例である。この例は家屋１の廊下２に面して既設トイレ装置（固定式の洋式トイレ）３が設置された例である。既設トイレ装置３内には既設便器４と洗浄用注水タンク５が設置されている。廊下２に沿ってこの例では寝室としての部屋６が位置し、部屋６内には例えばベッド７が置かれている。
【００２７】
簡易トイレ装置１０には、給水手段と排出手段が設けられ、給水手段は連結ホースである給水ホース１２によって注水タンク５に連結され、簡易トイレ装置１０の便器に設けられた排出口は、排出ホース１４を介して既設便器４に連結される。簡易トイレ装置１０の便器の排出口と排出ホース１４との間に粉砕圧送装置４０が介在され、汚物の粉砕処理が行われる。
【００２８】
図２はこの発明を適用した簡易トイレ装置１０の一例を示す要部断面図である。この簡易トイレ装置１０は便器本体２０を有する。便器本体２０は通常の水洗式トイレ（洋式トイレ）とほぼ同じ漏斗状の断面形状をなすが、その全体形状は箱型として構成される。近年はインテリア要素も要望され、必ずしも箱形だけではなく、例えば肘掛けのある椅子型のものも利用されている。
【００２９】
便器本体２０を軽量化するため、この例では便器本体２０はプラスチックによる成型品であるが陶器等の他の素材を使用して成形してもよい。便器本体２０の上部開口部側には便座２４が位置すると共に、この便座２４および上部開口部を閉塞するような便蓋２５が設けられている。
【００３０】
便器本体２０の底部がトラップ水（溜まり水）や排泄物等の溜まり部２１となる。溜まり部２１に連通して断面がほぼ「へ」の字状をなすＳ字トラップ部（排出部）２２が設けられ、その末端が排出口２３となされる。溜まり部２１に連通するＳ字トラップ部２２のほぼ「へ」の字状の形状は、図示の形状の他にＰ型、Ｕ型、椀型などが考えられる。これらの形状はいずれも同様な作用効果が得られる。排出口２３は便器本体２０の外部に臨んでいる。排出口２３には排出ホース１４が連結されるが、この例では粉砕圧送装置４０を介して排出ホース１４が連結されている。
【００３１】
便器本体２０の背面部２０ａに、洗浄水を供給するための連結部３０が設けられる。この連結部３０の内部には開閉弁として機能する電磁弁（図示はしない）が付設されており、洗浄水の供給および停止制御が行われる。電磁弁は、溜まり部２１内のトラップ水（排泄物を含んだ水）を便器外に排出するときだけ開くように制御され、トイレを使用していないときは閉じられている。主として漏水を防止するために設けられている。電磁弁の制御操作は、備え付けの操作部（図示はしない）によって行われる。
【００３２】
便器本体２０の上部近辺で、Ｓ字トラップ部２１側の壁面２０ｂには溜まり部２１への洗浄水（トラップ水）の給水口３２が設けられている。したがって、本体背面部２０ａに設けられた連結部３０とこの給水口３２との間は連結管３１によって連結されている。
【００３３】
図３は温水洗浄便座８０を備えた既設便器４を例示する。この場合には水道管（上水道管）８２に分岐管８４が連結され、この分岐管８４のうち水道管８２側に第１の分岐口８６が設けられ、ここに温水洗浄便座用のホース８７が連結される。第１の分岐口８６より末端に近い方に第２の分岐口８８が設けられ、ここに洗浄水用のホース８９が連結される。
【００３４】
この例では、このような分岐構成の分岐管８４にあって、第１と第２の分岐口８６，８８との間に逆止弁９０が設置されると共に、分岐管８４の末端部に給水ホース１２に対する連結部９２が設けられる。この連結部９２に給水ホース１２の先端に設けられた連結部６０Ａが連結される。逆止弁９０はその機能が判る程度に略して図示されている。
【００３５】
このように新たな分岐管８４を設け、ここに給水ホース１２を取り付けることによって簡易トイレ装置１０に洗浄水を供給できる。なお、第１と第２の分岐口８６，８８との間に逆止弁９０を設置したのは、万が一ホース８９や給水ホース１２側からの水が逆流して温水洗浄便座側に供給する水と混じり合わないようにするためである。
【００３６】
分岐管８４の末端部分にはさらに消毒液用の連結部に消毒液を満たしたタンク９６が挿着される。消毒液を使用することで、既設トイレ装置３はもちろんのこと簡易トイレ装置１０の衛生状態を改善できる。さらに、排出ホース１４も同時に洗浄できるものである。なお、タンク９６は必ずしも備えられていなくてはならないものではなく、必要に応じて適宜設けるようにしてもよい。
【００３７】
このように既存のトイレの配水系を流用すれば、分岐管８４を付設するだけの簡単な増設工事で簡易トイレ装置１０を使用することができる。
【００３８】
排出ホース１４によって既設便器４内に直接汚物を流し込めるように配管する。そのため既設便器４には取り付け治具９３が設けられ、ここに排出ホース１４の連結部６２Ｂが連結される。
【００３９】
上述したように簡易トイレ装置１０と既設トイレ装置とを連結するために使用される給水ホース１２と、排出ホース１４の一例を図４以下に示す。図４に示すように、給水ホース１２の一端部１２ａを上水道管側に接続される端部とし、他端部１２ｂを簡易トイレ装置１０に接続される端部としたとき、一端部１２ａおよび他端部１２ｂに各々逆止弁付きの連結部６０Ａ，６０Ｂが取り付けられている。
【００４０】
排出ホース１４にも図５に示すように、その一端部１４ａおよび他端部１４ｂに逆止弁付きの連結部６２Ａ，６２Ｂが設けられている。この場合の一端部１４ａは簡易トイレ装置１０側に連結される端部であり、他端部１４ｂは下水道管側などに接続される端部である。
【００４１】
給水ホース１２は便器本体２０に供給される洗浄水用として使用されるものであるから、小径のビニルホースなどを使用することができる。これに対して、排出ホース１４は、その管内を汚物などを粉砕した流状物が流れるものであるから、給水ホース１２と同径か僅かに太い径のビニルホースなどを使用することができる。これは固まった汚物ではなく、洗浄水と混合した流状物を取り扱うためである。
【００４２】
給水ホース１２と排出ホース１４の管径を、例えば上述したような管径に選定すると、元々太さが違うために、給水ホース１２を排出ホースとして使用したり、排出ホース１４を給水ホースと間違って連結したりする、初歩的な誤連結作業を確実に防止できる。もちろん、異なる管径のものを使用する場合に限らず、同じ管径のものを使用する場合でも、図４や図５に示すように、目印となる名称例えば「給水ホース」や「排出ホース」という名称をホースの表面に印すことで、誤連結を確実に防止できる。また、連結部の接合金具形状を異ならせることで誤連結防止を行うこともできる。さらに、給水ホース１２と排出ホース１４との色を変え色別により誤連結を防止することもできる。
【００４３】
逆止弁付きの連結部６０（６２）は、例えば図６のように本体６３の中空内部に断面矩形状の弁作動室６４が設けられ、ここに弁作用をなす球体６５とそれに対する押圧バネ６６とが設けられ、水圧が矢印ａ方向に作用することで弁が開くようになっている。これにより簡易トイレ装置側と上下水道管側からの双方の逆流防止を行っている。
【００４４】
一方、連結部６０（６２）のうちの他方の連結部６０Ｂ（６２Ｂ）にあっては、これを簡易トイレ装置側と例えば既設便器に連結したとき、逆止弁の球体６５が押圧バネ６６に抗して後退する凸部（図示せず）を、簡易トイレ装置側と下水道管側のそれぞれに設けることで、連結部６０（６２）を連結したときには内部の弁が開放されて連通状態となり、連結を外したときには内部の弁が閉じ、ホース内の液体が外部に漏れ出さないように構成されている。
【００４５】
したがって、上水道管に給水ホース１２の連結部６０Ａを取り付け、便器本体２０側に連結部６０Ｂを取り付けた状態で、連結部６０Ａを取り外しても管内部の水は流れ出ず、他方の連結部６０Ｂを外しても管内部の水が流れ出すことはない。同じように使用状態の排出ホース１４を外しても、管内部の汚水が外部に流れ出るようなことはない。
【００４６】
さて、この発明に係る粉砕圧送装置４０は図２に示すように簡易トイレ装置１０に設けられた外部に臨む排出口２３と、排出ホース１４との間に連結される。
【００４７】
粉砕圧送装置４０は、箱型のケース（筐体）４１を有し、ケース４１は床面に固定される。ケース４１の内部には台座４２が設置される。台座４２は図７に示すように、所定の厚みと幅を有する、ほぼＬ字状の段差を持った台座である。この台座４２は金属製若しくは樹脂製である。
【００４８】
段差の低い面４２ａは可撓性管部材としての粉砕圧送管４３の載置面となされる。載置面４２ａには粉砕圧送管４３の載置位置を規制するための規制片４２ｃが設けられている。したがってこの規制片４２ｃによって載置面４２ａは凹部状をなす載置面となる。
【００４９】
粉砕圧送管４３はケース４１を貫通するように配置されている。そのため、粉砕圧送管４３の一端は排出口２３と連結できるケース４１の壁面４１ａまで導出され、またその他端はケース４１の壁面４１ｂまで導出されて保持される。それぞれの端部には連結具４７ａ、４７ｂが取り付けられていて、これらによって排出口２３との連結および排出ホース１４との連結がなされる。粉砕圧送管４３は、可撓性に富むビニルホースなどが好適である。
【００５０】
可撓性の粉砕圧送管４３の上面には、その外表面を押圧する押圧部４４が設けられている。押圧部４４は粉砕圧送管４３の上流側から下流側（便器排出口２３側から既設トイレ装置３側）へと、汚物を粉砕して圧送するために使用されるもので、粉砕圧送管４３に対して連続的に扱きを加えられるように構成されている。
【００５１】
そのため、この押圧部４４は、粉砕圧送管４３に対する押圧子４６と、この押圧子４６に連続的な回転運動を付与するための駆動手段４５とで構成される。駆動手段４５としては駆動モータが使用される。駆動モータ４５の回転軸４５ａが押圧子４６に固定される。
【００５２】
押圧子４６としては図２に示すようなほぼおむすび型の扁平三角体が使用される。ここで、押圧子４６の各稜辺（３辺）で粉砕圧送管４３の外表面を押圧し始め、その先端部が粉砕圧送管４３の真下まで回転したとき、少なくとも粉砕圧送管４３の管径が半分以下まで押し潰されるように、粉砕圧送管４３に対する押圧子４６の相対位置が設定されているものとする。管径が２／３程度まで押し潰される相対位置関係が好ましいと言える。汚物を充分に、かつ細かく粒状に粉砕できるからである。このような相対位置関係に設定する場合には、粉砕圧送管４３の外表面と押圧子４６の稜辺とは若干の隙間が開くことになる。押圧子４６によって粉砕圧送管４３が押し潰された状態を図８および図９に示す。
【００５３】
押圧子４６として複数の稜辺を有したものを使用したのは、粉砕圧送管４３への押圧子４６による緩急の扱きを繰り返すことで、管内を流れる汚物を下流側（押圧子４６の回転方向）に流下させるためである。
【００５４】
続いて、押圧子４６による扱き動作を図１０以下を参照して説明する。
排便が終わり、洗浄処理のために洗浄ボタン（図示はしない）を操作すると、連結部３０に内蔵された電磁弁が作動して洗浄水が溜まり部２１内に流れ込む。この洗浄水の流れ込みによって、トラップ水および汚物はＳ字トラップ２２を流れ落ちて排出口２３を介して粉砕圧送管４３にある程度の流速で流れ込む。この洗浄処理に同期して駆動モータ４５が、この例では時計方向に回転駆動される（図１０参照）。
【００５５】
駆動モータ４５が回転駆動されると、押圧子４６の稜辺によって粉砕圧送管４３の外面が圧迫され始める（図１１参照）。このとき圧迫された位置に汚物４９が到達しているときは、この汚物４９は粉砕圧送管４３の内壁面によって圧迫、押圧されるので、汚物４９の形が崩れ始める（図１１参照）。そして押圧子４６の稜辺の先端部が最下点まで回転すると、押し潰される度合いも最も高くなり、その時点で粉砕圧送管４３の管径は最も狭くなるので、このとき汚物４９の粉砕が最も進むことになる（図１２参照）。押圧子４６がさらに回転すると、続いて到達する後続の稜辺によって再び同様な粉砕処理が繰り返される（図１３、図１０以下参照）。
【００５６】
押圧子４６は時計方向に回転しているので、そのときの粉砕圧送管４３への押圧力（連続的な扱き動作による圧接力）は、管内の汚物４９に対して矢印方向への流下を促進する力（押し出す力）として作用することになるから、トラップ水の水圧と相俟って矢印方向への汚物４９流下が促進される。
【００５７】
このように汚物４９はトラップ水と共に粉砕圧送管４３内を通過するものであり、しかもトラップ水は多少の水圧を以て流れているので、粉砕されて流状物となった汚物４９は既設便器４側に圧送されながら既設便器４内に排出されることとなる。また、汚物４９は粉砕されて細かな粒体からなる流状体となっているので、連結ホース内での流状物の流れがスムーズとなり、連結ホース内の流状物は一気に既設トイレ装置の便器内に排出される。したがって連結ホース内に汚物４９が滞留したり、詰まるようなことがなくなる。
【００５８】
この発明に係る粉砕圧送装置４０は、上述した洋式の簡易トイレ装置の他に、和式の簡易トイレ装置にも適用できる。
【実施例２】
【００５９】
実施例１は、粉砕圧送装置４０における押圧子４６を１個用いて粉砕処理と圧送処理を行った例である。実施例２は図１４に示すように２個の押圧子４６Ａ、４６Ｂを隣接させた状態で管長方向に並べて使用した例である。
【００６０】
このように押圧子４６Ａ，４６Ｂを使用する場合には、両者を同期させて駆動することによって、最初の押圧子４６Ａで粉砕できなかった汚物４９あるいは充分粉砕されなかった汚物４９を、次段の押圧子４６Ｂの作用でほぼ確実に粉砕することができる。
【００６１】
押圧子４６Ａ，４６Ｂの駆動は、伝達ギアなどを利用して単一の駆動モータ４５で行うこともできれば、それぞれ専用の駆動モータを用意して押圧子４６Ａ，４６Ｂを駆動するようにしてもよい。
【実施例３】
【００６２】
図１５は、押圧子４６の形状を扁平な四角体で構成した場合である。四角体の場合には押圧子４６の１回転につき４つの稜辺が粉砕圧送管４３に当接するので、その分粉砕効果が高まると予想される。
【実施例４】
【００６３】
図１６はこの発明に係る粉砕圧送装置４０の他の例を示す。この例は押圧部４４の下流側に位置する粉砕圧送管４３の管内に汚物補足部材５０を介挿した場合である。汚物補足部材５０はフィルタ構成であって、図１７および図１８に示すようにこの例ではフィルタ部５０Ａと、これに連なる筒状フランジ５０Ｂとで構成されており、フィルタ部５０Ａには、所定径をなす複数の透孔５２が形成されている。筒状フランジ５０Ｂは管内への介挿を容易にすると共に、介挿位置での固定を容易にするために設けられている。
【００６４】
このような汚物捕捉部材５０を用いることで、排出ホース１４側に流出する汚物４９の粒径をほぼ一定に規制できるから、実施例１などの場合よりも、排出ホース１４内での汚物４９の詰まりを改善できる。
【産業上の利用可能性】
【００６５】
この発明では、介護施設や在宅介護などの介護補助装置としての簡易トイレ装置および簡易トイレシステムに適用できる。
【図面の簡単な説明】
【００６６】
【図１】この発明に係る簡易トイレシステムの一例を示す要部の断面図である。
【図２】この発明に係る粉砕圧送装置を簡易トイレ装置に適用した場合の一例を示す要部の断面図である。
【図３】この発明に適用できる既設トイレ装置の構成図である。
【図４】この発明に適用できる給水ホースの一例を示す構成図である。
【図５】この発明に適用できる排出ホースの一例を示す構成図である。
【図６】逆止弁の一例を示す断面図である。
【図７】この発明に係る粉砕圧送装置の側面図である。
【図８】粉砕圧送装置の稼働状態を示す図２と同様な断面図である。
【図９】その要部のみの側面図である。
【図１０】粉砕圧送処理例を示す図である（その１）。
【図１１】粉砕圧送処理例を示す図である（その２）。
【図１２】粉砕圧送処理例を示す図である（その３）。
【図１３】粉砕圧送処理例を示す図である（その４）。
【図１４】この発明に係る粉砕圧送装置に適用できる押圧部の他の例を示す要部の正面図である。
【図１５】押圧子の他の例を示す図１４と同様な正面図である。
【図１６】この発明に係る粉砕圧送装置の他の例を示す図２と同様な断面図である。
【図１７】この発明に適用できる汚物捕捉部材の一例を示す平面図である。粉砕機構部の他の例を示す要部構成図である。
【図１８】そのＡ−Ａ断面図である。
【符号の説明】
【００６７】
１０・・・簡易トイレ装置
１２・・・給水ホース
１４・・・排出ホース
２１・・・溜まり部
２０・・・便器本体
２３・・・排出口
２８・・・給水口
４０・・・粉砕圧送装置
４２ａ・・・載置部
４３・・・可撓性管部材
４４・・・押圧部
４６・・・押圧子
【図１】
2007085099.tif 000003
【図２】
2007085099.tif 000004
【図３】
2007085099.tif 000005
【図４】
2007085099.tif 000006
【図５】
2007085099.tif 000007
【図６】
2007085099.tif 000008
【図７】
2007085099.tif 000009
【図８】
2007085099.tif 000010
【図９】
2007085099.tif 000011
【図１０】
2007085099.tif 000012
【図１１】
2007085099.tif 000013
【図１２】
2007085099.tif 000014
【図１３】
2007085099.tif 000015
【図１４】
2007085099.tif 000016
【図１５】
2007085099.tif 000017
【図１６】
2007085099.tif 000018
【図１７】
2007085099.tif 000019
【図１８】
2007085099.tif 000020